(57)【要約】【課題】シャッターチャンスを逃さずに撮影することができるとともに、消費電力の増加および記憶容量の不足を確実に防止する。【解決手段】所定の解像度の画像データを順次生成する撮像部と、最新の画像データの解像度と該最新の画像データより所定時間前に生成された画像データの解像度とを一致させる解像度一致部と、解像度一致部が一致させた二つの画像データの各々を前記撮像部が撮影する間の当該撮像装置の動きを検出する動き検出部と、動き検出部が検出した当該撮像装置の動きの量が所定の閾値よりも小さい場合、最新の画像データから当該撮像装置の動きに起因する変化を消去する補正を行う画像補正部と、補正した最新の画像データと該最新の画像データより所定時間前に生成した画像データとの差分値を算出する差分値算出部と、差分値算出部が算出した差分値に応じて撮像部が生成する画像データの解像度を設定する解像度設定部と、を備える。【選択図】        図１
2010093492.tif 000002
【特許請求の範囲】
【請求項１】
被写体を撮像して画像データを生成する撮像装置であって、
間隔をおいて連続的に被写体を撮影して所定の解像度の画像データを順次生成する撮像部と、
前記撮像部が生成した最新の画像データの解像度と該最新の画像データより所定時間前に生成された画像データの解像度とを一致させる解像度一致部と、
前記解像度一致部が一致させた二つの画像データの各々を前記撮像部が撮影する間の当該撮像装置の動きを検出する動き検出部と、
前記動き検出部が検出した当該撮像装置の動きの量が所定の閾値よりも小さい場合、前記最新の画像データから当該撮像装置の動きに起因する変化を除去する補正を行う画像補正部と、
前記画像補正部が補正した前記最新の画像データと該最新の画像データより所定時間前に生成した画像データとの差分値を算出する差分値算出部と、
前記差分値算出部が算出した差分値に応じて前記撮像部が生成する画像データの解像度を設定する解像度設定部と、
を備えたことを特徴とする撮像装置。
【請求項２】
前記解像度設定部は、前記解像度を高さが異なる高低二つの解像度のいずれかに設定し、
前記解像度一致部は、二つの画像データの解像度が異なる場合に高解像度の画像データの解像度を低解像度に変換することを特徴とする請求項１記載の撮像装置。
【請求項３】
前記動き検出部が検出した当該撮像装置の動きの量が前記所定の閾値以上である場合、前記解像度設定部は前記撮像部が生成する画像データの解像度を高解像度に設定することを特徴とする請求項１または２記載の撮像装置。
【請求項４】
前記動き検出部は、画像中の特徴点の動きベクトルを算出することを特徴とする請求項１〜３のいずれか一項記載の撮像装置。
【請求項５】
前記動き検出部は、加速度センサまたはジャイロセンサを有することを特徴とする請求項１〜３のいずれか一項記載の撮像装置。
【請求項６】
間隔をおいて連続的に被写体を撮像して画像データを順次生成する撮像部と、前記画像データを含む情報を記憶する記憶部とを備えた撮像装置に、
被写体を撮影して所定の解像度の画像データを生成し、この生成した画像データを前記記憶部へ書き込む画像データ生成ステップ、
前記画像データ生成ステップで生成した画像データおよび該画像データより所定時間前に生成した画像データを前記記憶部から読み出し、この読み出した二つの画像データの解像度を一致させる解像度一致ステップ、
前記解像度一致ステップで一致させた二つの画像データの各々を前記撮像部が撮影する間の当該撮像装置の動きを検出する動き検出ステップ、
前記動き検出ステップで検出した当該撮像装置の動きの量が所定の閾値よりも小さい場合、最新の画像データから当該撮像装置の動きに起因する変化を除去する補正を行う画像補正ステップ、
前記画像補正ステップで補正した前記最新の画像データと該最新の画像データより所定時間前に生成した画像データとの差分値を算出する差分値算出ステップ、
前記差分値算出ステップで算出した差分値に応じて前記撮像部が生成する画像データの解像度を設定する解像度設定ステップ、
を実行させることを特徴とする撮像装置用プログラム。
【発明の詳細な説明】
【技術分野】
【０００１】
本発明は、被写体を撮像して画像データを生成する撮像装置および撮像装置用プログラムに関する。
【背景技術】
【０００２】
従来、撮像装置においてシャッターチャンスを逃さずに撮影することが可能な技術として、撮影者が自身の体に撮像装置を身につけておき、常時撮影することが可能な撮像装置に関する技術が知られている（例えば、特許文献１を参照）。この技術では、撮影者の頭部近傍または胸部に撮像装置を身につけさせておき、撮影した画像の画像データをメモリに一時的に記録して所定の時間間隔で更新し、更新の際に撮影者からの指示によって画像データを保存する構成を有している。ところで、この技術を適用する場合、撮像装置が画像の撮影と記録を常時行っているため、無駄な画像が多く撮影されてしまい、消費電力の増加や記憶容量の不足といった問題が生じていた。
【０００３】
上述した特許文献１に記載の技術が有する問題を解決し得る技術として、複数のフレームを比較してフレームの映像信号や音声信号の情報変化量を検出し、この検出した情報変化量に応じて撮像時および信号処理時における画像解像度を自動的に切り換える技術が知られている（例えば、特許文献２を参照）。この技術によれば、撮像したフレーム間の情報変化量が少ない場合には一部のフレームの画像解像度を低く設定することにより、消費電力の増加や記憶容量の不足を防止することができることが期待される。
【０００４】
【特許文献１】特開２００３−２０４４６４号公報
【特許文献２】特開２００３−１３４３８６号公報
【発明の開示】
【発明が解決しようとする課題】
【０００５】
しかしながら、上記特許文献２に記載の技術を上記特許文献１に記載の技術へ適用する場合、撮像装置は撮影者とともに常に動いているため、フレーム間の変化がシーンの変化によるものか撮影者の動きによるものであるかを適確に判断することができなかった。このため、結局は撮影した全ての画像を高解像度で記録することとなり、消費電力の増加や記憶容量の不足を防止することができなかった。
【０００６】
本発明は、上記に鑑みてなされたものであって、シャッターチャンスを逃さずに撮影することができるとともに、消費電力の増加および記憶容量の不足を確実に防止することができる撮像装置および撮像装置用プログラムを提供することを目的とする。
【課題を解決するための手段】
【０００７】
上述した課題を解決し、目的を達成するために、本発明に係る撮像装置は、被写体を撮像して画像データを生成する撮像装置であって、間隔をおいて連続的に被写体を撮影して所定の解像度の画像データを順次生成する撮像部と、前記撮像部が生成した最新の画像データの解像度と該最新の画像データより所定時間前に生成された画像データの解像度とを一致させる解像度一致部と、前記解像度一致部が一致させた二つの画像データの各々を前記撮像部が撮影する間の当該撮像装置の動きを検出する動き検出部と、前記動き検出部が検出した当該撮像装置の動きの量が所定の閾値よりも小さい場合、前記最新の画像データから当該撮像装置の動きに起因する変化を除去する補正を行う画像補正部と、前記画像補正部が補正した前記最新の画像データと該最新の画像データより所定時間前に生成した画像データとの差分値を算出する差分値算出部と、前記差分値算出部が算出した差分値に応じて前記撮像部が生成する画像データの解像度を設定する解像度設定部と、を備えたことを特徴とする。
【０００８】
また、本発明に係る撮像装置は、上記発明において、前記解像度設定部は、前記解像度を高さが異なる高低二つの解像度のいずれかに設定し、前記解像度一致部は、二つの画像データの解像度が異なる場合に高解像度の画像データの解像度を低解像度に変換することを特徴とする。
【０００９】
また、本発明に係る撮像装置は、上記発明において、前記動き検出部が検出した当該撮像装置の動きの量が前記所定の閾値以上である場合、前記解像度設定部は前記撮像部が生成する画像データの解像度を高解像度に設定することを特徴とする。
【００１０】
また、本発明に係る撮像装置は、上記発明において、前記動き検出部は、画像中の特徴点の動きベクトルを算出することを特徴とする。
【００１１】
また、本発明に係る撮像装置は、上記発明において、前記動き検出部は、加速度センサまたはジャイロセンサを有することを特徴とする。
【００１２】
また、本発明に係る撮像装置用プログラムは、間隔をおいて連続的に被写体を撮像して画像データを順次生成する撮像部と、前記画像データを含む情報を記憶する記憶部とを備えた撮像装置に、被写体を撮影して所定の解像度の画像データを生成し、この生成した画像データを前記記憶部へ書き込む画像データ生成ステップ、前記画像データ生成ステップで生成した画像データおよび該画像データより所定時間前に生成した画像データを前記記憶部から読み出し、この読み出した二つの画像データの解像度を一致させる解像度一致ステップ、前記解像度一致ステップで一致させた二つの画像データの各々を前記撮像部が撮影する間の当該撮像装置の動きを検出する動き検出ステップ、前記動き検出ステップで検出した当該撮像装置の動きの量が所定の閾値よりも小さい場合、最新の画像データから当該撮像装置の動きに起因する変化を除去する補正を行う画像補正ステップ、前記画像補正ステップで補正した前記最新の画像データと該最新の画像データより所定時間前に生成した画像データとの差分値を算出する差分値算出ステップ、前記差分値算出ステップで算出した差分値に応じて前記撮像部が生成する画像データの解像度を設定する解像度設定ステップ、を実行させることを特徴とする。
【発明の効果】
【００１３】
本発明によれば、間隔をおいて連続的に被写体を撮影して所定の解像度の画像データを順次生成し、所定の画像データ間で撮像装置に動きがある場合にはその影響を排除して両画像データの差分値を検出し、この差分値に基づいて撮像部が生成する画像データの解像度を設定しているため、シーン変化が少ないにもかかわらず解像度を高く設定し続けてしまうようなことがない。したがって、シャッターチャンスを逃さずに撮影することができるとともに、消費電力の増加および記憶容量の不足を確実に防止することが可能となる。
【発明を実施するための最良の形態】
【００１４】
以下、添付図面を参照して、本発明を実施するための最良の形態（以後、「実施の形態」という）を説明する。
【００１５】
（実施の形態１）
図１は、本発明の実施の形態１に係る撮像装置の構成を示す図である。同図に示す撮像装置１は、被写体を撮像して画像データを生成する撮像部２、撮像部２が生成した画像データに対して画像処理を施す画像処理部３、画像処理部３が出力する画像データを含む情報を表示する表示部４、撮像装置１の操作指示信号が入力される入力部５、撮像装置１の動作を制御する制御部６、撮像装置１の動作に関する各種情報を記憶する記憶部７を備える。
【００１６】
撮像部２は、所定の視野領域にある被写体からの光を集光する撮影レンズ２１、撮影レンズ２１が集光した光の入射量を調整する絞り２２、絞り２２を通過した入射光を受光して電気信号に変換するＣＣＤ等の撮像素子２３、撮像素子２３から出力されるアナログ信号に対して感度補正やホワイトバランスを含む各種処理を施すアナログ信号処理部２４、アナログ信号処理部２４が出力した信号からデジタルの画像データを生成するＡ／Ｄ変換部２５を有する。このうち、撮影レンズ２１は、一または複数のレンズによって構成される光学系であり、レンズ駆動部８によって駆動される。また、絞り２２は絞り駆動部９によって駆動される。撮像部２は高速で駆動することができ、一定の周期で被写体を連続的に撮影する機能を有する。
【００１７】
画像処理部３は、撮像部２が生成した最新の画像データの解像度と一つ前に生成した画像データの解像度とを比較し、二つの画像データの解像度が異なる場合に所定のルールにしたがって両画像データの解像度を一致させる解像度一致部３１、最新の画像データと該最新の画像データの一つ前に生成した画像データとの間における撮像装置１の動きを検出する動き検出部３２、動き検出部３２の検出結果に基づいて撮像装置１の動きを判定する動き判定部３３、動き判定部３３の判定結果に応じて画像を補正する画像補正部３４、画像補正部３４が補正した最新の画像データとこの画像データの一つ前に生成した画像データとの差分値を算出する差分値算出部３５、を有する。
【００１８】
入力部５は、撮像装置１の電源ボタン、撮像指示を与えるシャッターボタン、画像データの再生や編集の指示を含む制御ボタンなどを有する。入力部５を構成する各種ボタンの少なくとも一部を、十字キーやタッチパネルを用いて実現することも可能である。
【００１９】
制御部６は、差分値算出部３５が算出した差分値に応じて撮像部２が生成する画像データの解像度を設定する解像度設定部６１を有する。解像度設定部６１は、撮像部２が撮影して生成する画像データの解像度を高解像度と低解像度の高低二つの解像度のいずれかに設定する。制御部６はＭＰＵ等を用いて実現され、制御対象の各部とバスラインを介して接続されている。
【００２０】
記憶部７は、本実施の形態１に係る撮像装置用プログラムを含み、撮像装置１が実行する各種プログラムを記憶するプログラム記憶部７１、撮像部２が撮影した画像データを記憶する画像データ記憶部７２、を有する。記憶部７は、撮像装置１の内部に固定的に設けられるフラッシュメモリやＲＡＭ等の半導体メモリなどを用いて実現される。なお、記憶部７が、外部から装着されるメモリカード等の記録媒体に対して情報を記録する一方、記録媒体が記録する情報を読み出す記録媒体インターフェースとしての機能を有していてもよい。
【００２１】
以上の構成を有する撮像装置１では、通常の撮影モードに加えて連続撮影モードを設定することができる。連続撮影モードは、撮像部２が所定の周期で画像を連続的に自動撮影するモードである。この連続撮影モードにおいて、撮像部２は、解像度設定部６１が設定した解像度の画像データを生成する。以下、連続撮影モードであって撮像部２が高解像度の画像データを生成するモードを高解像度モードと呼ぶ一方、連続撮影モードであって撮像部２が低解像度の画像データを生成するモードを低解像度モードと呼ぶ。
【００２２】
撮像装置１は、撮影者が身につけることが可能な態様をなしている。図２は、撮像装置１の具体的な態様を示す図である。図２において、撮像部２、レンズ駆動部８および絞り駆動部９を含む撮影ユニット１Ａは、撮影者２００が装着しているメガネ２０１のつるの側面に取り付けられている。撮像装置１のうち撮影ユニット１Ａ以外の構成要素を含む本体部１Ｂは、ケーブル１Ｃを介して撮影ユニット１Ａに接続されている。
【００２３】
図３は、撮像装置１が連続撮影モードに設定されている場合の解像度設定処理の概要を示すフローチャートである。まず、撮像部２が画像を撮影して画像データを生成する（ステップＳ１）。撮像部２は、制御部６から送られてくる制御信号（ＡＦ指示値、ＡＥ指示値、ＡＷＢ指示値等の撮影パラメータを含む）に基づいて撮影を行い、解像度設定部６１が設定した撮影モードに応じた解像度を有する画像データを生成する。撮影モードが高解像度モードに設定されている場合、撮像部２は全画素読み出しを行う。一方、撮影モードが低解像度モードに設定されている場合、撮像部２は画素の間引き読み出しを行う。
【００２４】
この後、撮像装置１は、撮像部２が生成した画像データを、画像処理部３を介して記憶部７に書き込んで保存する（ステップＳ２）。
【００２５】
続いて、解像度一致部３１は、ステップＳ１で生成された最新の画像データの解像度を１回前に撮影した画像データ（以後、「前フレーム」という）の解像度と比較し、比較結果に応じて最新の画像データの解像度と前フレームの解像度とを一致させる処理を行う（ステップＳ３〜Ｓ７）。まず、最新の画像データが高解像度である場合（ステップＳ３，Ｙｅｓ）、前フレームが低解像度であれば（ステップＳ４，Ｙｅｓ）、解像度一致部３１は最新の画像データの解像度を低解像度に変換し（ステップＳ５）、後述するステップＳ８へ進む。一方、前フレームが高解像度であれば（ステップＳ４，Ｎｏ）、撮像装置１は後述するステップＳ８へ直接進む。
【００２６】
一方、最新の画像データが高解像度ではない場合（ステップＳ３，Ｎｏ）、前フレームが低解像度であれば（ステップＳ６，Ｙｅｓ）、後述するステップＳ８へ直接進む。一方、前フレームが高解像度であれば（ステップＳ６，Ｎｏ）、解像度一致部３１は前フレームの解像度を低解像度に変換し（ステップＳ７）、後述するステップＳ８へ進む。
【００２７】
解像度一致部３１が行ったステップＳ３〜Ｓ７の処理により、いかなる状況であっても最新の画像データの解像度と前フレームの解像度とが一致することとなる。
【００２８】
ステップＳ８において、動き検出部３２は、撮像装置１の動きを検出する（ステップＳ８）。具体的には、動き検出部３２は、画像中の特徴点を検出し、パターンマッチングを行って特徴点の動きベクトルを算出する。
【００２９】
その後、動き判定部３３は、動き検出部３２が算出した特徴点の動きベクトルを用いることによって撮像装置１の動きを判定する（ステップＳ９）。具体的にはステップＳ９において、動き判定部３３は、まず特徴点の動きベクトルの方向と大きさが略同一の動きベクトルの集合Ｖを抽出する。集合Ｖによって特定される特徴点は、画面の背景に相当する。この集合Ｖの要素の数が所定数以上である場合、動き判定部３３は撮像装置１が動いていると判定する。なお、動き判定部３３は、集合Ｖの要素が全ての動きベクトルに対して所定の割合以上ある場合に撮像装置１が動いていると判定するようにしてもよい。続いて、動き判定部３３は、集合Ｖを構成する動きベクトルの大きさに応じて、撮像装置１の動きがブレによるものであるか否かを識別する。すなわち、動き判定部３３は、集合Ｖを構成する動きベクトルの大きさの平均値が所定の閾値よりも小さければその動きがブレによるものであると判定する一方、その平均値が所定の閾値以上であれば撮像装置１が移動したと判定する。
【００３０】
動き判定部３３が撮像装置１の動きありと判定（ステップＳ１０，Ｙｅｓ）し、かつその動きをブレと判定（ステップＳ１１，Ｙｅｓ）した場合、画像補正部３４はブレの分だけ画像の補正を行う（ステップＳ１２）。図４は、ブレの補正の概要を示す図である。図４において、画像１０１はブレを含む画像であり、画像１０２は集合Ｖを構成する動きベクトルの大きさと向きの平均として定義される平均ブレベクトルの逆ベクトルｖiを用いて画像の補正を行った図である。このような補正を行うことにより、撮影者２００がわずかに動くことに起因した撮像装置１の微小なブレの影響を適確に排除することが可能となる。
【００３１】
この後、差分値算出部３５は、時間的に前後して並んでいる二つの画像データ間の差分値Ｄを算出する（ステップＳ１３）。ここでの差分値Ｄは、例えば所定の画素ごとのＲ成分、Ｇ成分、Ｂ成分の各差分値の関数として定義される。差分値Ｄが所定値Ｄ0以上である場合（ステップＳ１４，Ｙｅｓ）、解像度設定部６１は撮影モードを高解像度モードに設定する（ステップＳ１５）。一方、差分値Ｄが所定値Ｄ0未満である場合（ステップＳ１４，Ｎｏ）、解像度設定部６１は撮影モードを低解像度モードに設定する（ステップＳ１６）。なお、ステップＳ１５を行う際に撮影モードが高解像度モードに設定されている場合、およびステップＳ１６を行う際に撮影モードが低解像度モードに設定されている場合には、解像度設定部６１が改めて設定を指示する信号を撮像部２へ送信しないようにしてもよい。
【００３２】
ステップＳ１０において動き判定部３３が撮像装置１の動きありと判定（ステップＳ１０，Ｙｅｓ）し、その動きを移動と判定（ステップＳ１１，Ｎｏ）した場合を説明する。図５は、動き判定部３３が撮像装置１の動きありと判定する場合の前フレームおよび最新の画像データを示す図である。図５に示す場合、前フレームに対応する画像１０３と最新の画像データに対応する画像１０４とでは共通部分が画面の半分程度であり、その共通部分の位置も大きく異なっている。このような場合、解像度設定部６１は撮影モードを高解像度モードに設定する（ステップＳ１５）。
【００３３】
ステップＳ１０において動き判定部３３が撮像装置１の動きなしと判定（ステップＳ１０，Ｎｏ）した場合を説明する。この場合、撮像装置１は、差分値算出部３５による画像データ間の差分値算出処理（ステップＳ１３）へ進む。ステップＳ１３に続くステップＳ１４〜Ｓ１６の処理は上述した通りである。
【００３４】
最後に、撮像装置１は、記憶部７が低解像度の前フレームを記憶している場合（ステップＳ１７，Ｙｅｓ）、この低解像度の前フレームを削除し（ステップＳ１８）、ステップＳ１に戻る。記憶部７が低解像度の前フレームを記憶していない場合（ステップＳ１７，Ｎｏ）、撮像装置１はステップＳ１に直接戻る。このようにして、撮像装置１では、不要になった低解像度の画像データを逐次削除することにより、記憶部７の記憶量が増加してしまうのを抑制している。
【００３５】
以上説明した本発明の実施の形態１によれば、間隔をおいて連続的に被写体を撮影して所定の解像度の画像データを順次生成し、所定の画像データ間で撮像装置に動きがある場合にはその影響を排除して両画像データの差分値を検出し、この差分値に基づいて撮像部が生成する画像データの解像度を設定しているため、撮影者がわずかに動くことに起因した撮像装置の微小なブレの影響を適確に排除することが可能となり、シーン変化が少ないにもかかわらず解像度を高く設定し続けてしまうようなことがない。したがって、シャッターチャンスを逃さずに撮影することができるとともに、消費電力の増加および記憶容量の不足を確実に防止することが可能となる。
【００３６】
また、本実施の形態１によれば、消費電力を削減するとともに記憶部として必要な記憶容量を小さくすることができるので、撮像装置の小型軽量化を実現することもできる。
【００３７】
（実施の形態２）
図６は、本発明の実施の形態２に係る撮像装置の構成を示す図である。同図に示す撮像装置１０は、加速度センサまたはジャイロセンサを有し、撮像装置１０の動きを検出する動き検出部１１を備える。このため、撮像装置１０の画像処理部１２は、画像認識によって撮像装置１０の動きを検出して判定する機能を有しない。また、撮像装置１０の制御部１３は、動き検出部１１の出力に基づいて撮像装置１０の動きの有無を判定する動き判定部１３１を有する。以上の点を除く撮像装置１０の機能構成は、撮像装置１の機能構成と同様である。
【００３８】
図７は、撮像装置１０が連続撮影モードに設定されている場合の解像度設定処理の概要を示すフローチャートである。まず、撮像部２が画像を撮影して画像データを生成する（ステップＳ２１）。この後、撮像装置１０は、撮像部２が生成した画像データを記憶部７に書き込んで保存する（ステップＳ２２）。
【００３９】
動き検出部１１は撮像装置１０の動きを検出する（ステップＳ２３）。具体的には、撮像装置１０は、加速度センサまたはジャイロセンサの出力から撮像装置１０の動きの大きさおよび方向を検出し、この検出結果に基づいて撮像装置１０の動きベクトルを算出する。
【００４０】
続いて、動き判定部１３１は、動き検出部１１からの出力に基づいて撮像装置１０の動きの有無を判定し、撮像装置１０の動きがある場合にその動きがブレであるか否かを判定する（ステップＳ２４）。
【００４１】
動き判定部１３１が撮像装置１０の動きありと判定し（ステップＳ２５，Ｙｅｓ）、かつその動きをブレと判定した場合（ステップＳ２６，Ｙｅｓ）、画像補正部３４はブレの分だけ画像の補正を行う（ステップＳ２７）。
【００４２】
ステップＳ２７に続くステップＳ２８〜Ｓ３２の処理は、解像度一致部３１が最新の画像データの解像度と前フレームの解像度とを比較し、比較の結果に応じて二つの画像データの解像度を一致させる処理であり、図３のステップＳ３〜Ｓ７の処理に順次対応している。また、ステップＳ３３〜Ｓ３６の処理は、二つの画像データの差分値Ｄを算出し、この差分値Ｄと閾値Ｄ0との大小関係に応じて撮像部２が生成する画像データの解像度を設定する処理であり、図３のステップＳ１３〜Ｓ１６に順次対応している。
【００４３】
ステップＳ２５において動き判定部１３１が撮像装置１０の動きありと判定（ステップＳ２５，Ｙｅｓ）し、かつその動きを移動と判定（ステップＳ２６，Ｎｏ）した場合、解像度設定部６１は撮影モードを高解像度モードに設定する（ステップＳ３５）。
【００４４】
ステップＳ２５において動き判定部１３１が撮像装置１０の動きなしと判定（ステップＳ２５，Ｎｏ）した場合、解像度一致部３１が最新の画像データの解像度と前フレームの解像度とを比較し、比較の結果に応じて二つの画像データの解像度を一致させる処理（ステップＳ２８〜３２）を行った後、二つの画像データの差分値算出処理と差分値の算出結果に応じて撮影モードの設定処理を行う（ステップＳ３３〜Ｓ３６）。
【００４５】
最後に、撮像装置１は、記憶部７が低解像度の前フレームを記憶している場合（ステップＳ３７，Ｙｅｓ）、この低解像度の前フレームを削除し（ステップＳ３８）、ステップＳ２１に戻る。記憶部７が低解像度の前フレームを記憶していない場合（ステップＳ３７，Ｎｏ）、撮像装置１はステップＳ２１に直接戻る。
【００４６】
以上説明した本発明の実施の形態２によれば、上述した実施の形態１と同様、消費電力の増加および記憶容量の不足を確実に防止することが可能となる。
【００４７】
ここまで、本発明を実施するための最良の形態として、実施の形態１、２を詳述してきたが、本発明はそれらの実施の形態によって限定されるべきものではない。例えば、本発明に係る撮像装置の動きを判定する際には、画像認識による検出と加速度センサまたはジャイロセンサによる検出との組み合わせによって判定を行うようにしてもよい。
【００４８】
また、本発明に係る撮像装置は、通常のデジタルカメラのように筐体状をなしていてもよい。
【００４９】
このように、本発明は、ここでは記載していない様々な実施の形態等を含みうるものであり、特許請求の範囲により特定される技術的思想を逸脱しない範囲内において種々の設計変更等を施すことが可能である。
【図面の簡単な説明】
【００５０】
【図１】本発明の実施の形態１に係る撮像装置の構成を示す図である。
【図２】本発明の実施の形態１に係る撮像装置の具体的な態様を示す図である。
【図３】本発明の実施の形態１に係る撮像装置が行う解像度設定処理の概要を示すフローチャートである。
【図４】ブレの補正の概要を示す図である。
【図５】本発明の実施の形態１に係る撮像装置が移動していると判定される場合の前後の二つの画像データにそれぞれ対応する画像を示す図である。
【図６】本発明の実施の形態２に係る撮像装置の構成を示す図である。
【図７】本発明の実施の形態２に係る撮像装置が行う解像度設定処理の概要を示す図である。
【符号の説明】
【００５１】
１、１０  撮像装置
１Ａ  撮影ユニット
１Ｂ  本体部
１Ｃ  ケーブル
２  撮像部
３、１２  画像処理部
４  表示部
５  入力部
６、１３  制御部
７  記憶部
８  レンズ駆動部
９  絞り駆動部
１１、３２  動き検出部
２１  撮影レンズ
２２  絞り
２３  撮像素子
２４  アナログ信号処理部
２５  Ａ／Ｄ変換部
３１  解像度一致部
３３、１３１  動き判定部
３４  画像補正部
３５  差分値算出部
６１  解像度設定部
７１  プログラム記憶部
７２  画像データ記憶部
１０１、１０２、１０３、１０４  画像
２００  撮影者
２０１  メガネ
【図１】
2010093492.tif 000003
【図２】
2010093492.tif 000004
【図３】
2010093492.tif 000005
【図４】
2010093492.tif 000006
【図５】
2010093492.tif 000007
【図６】
2010093492.tif 000008
【図７】
2010093492.tif 000009